(57)【要約】      （修正有）【課題】  商品発注後であっても、インターネット経由で、流通経路及び納品場所、納品時間を変更可能な、流通管理システムを提供する。【解決手段】  インターネット１００を介して購買者、複数の配送業者及び生産者間の商品の取引を行う商品取引システムにおける商品の流通を管理する流通管理システムであって、インターネットを介して購買者端末２０、複数の配送業者端末３０、３１及び生産者の端末４０と接続された商品の流通を管理する流通管理サーバ１０を備え、流通管理サーバ１０が商品の購買者、複数の配送業者及び生産者間の流通経路情報及び納品情報を格納し、購買者が端末を操作して、流通管理サーバにアクセスして、流通経路情報及び納品情報の確認、変更を可能としたことを特徴とする。【選択図】図１
2005138947.tif 000002
【特許請求の範囲】
【請求項１】
インターネットを介して購買者、複数の配送業者及び生産者間の商品の取引を行う商品取引システムにおける前記商品の流通を管理する流通管理システムであって、
前記インターネットを介して前記購買者、複数の配送業者及び生産者の端末と接続された前記商品の流通を管理する流通管理サーバを備え、
前記流通管理サーバが前記商品の前記購買者、複数の配送業者及び生産者間の流通経路情報、前記商品の納品情報を格納し、
前記購買者が前記端末を操作して、前記流通管理サーバにアクセスして、前記流通経路情報及び納品情報の確認、変更を可能としたことを特徴とする流通管理システム。
【請求項２】
前記購買者が、前記流通管理サーバへアクセスすると共に、前記流通管理サーバに備えられる前記商品に関する情報を格納する商品データベース及び前記流通経路情報を格納する流通経路データベースの情報を参照して、商品の発注を行い、
前記発注情報が前記流通管理サーバの購買者データベースに格納されることを特徴とする請求項１に記載の流通管理システム。
【請求項３】
前記生産者が、前記流通管理サーバへのアクセスを行い、前記流通経路データベースに格納される前記商品の製造情報を更新可能としたことを特徴とする請求項２に記載の流通管理システム。
【請求項４】
前記配送業者が、前記流通管理サーバへのアクセスを行い、前記流通経路データベースにある流通経路情報の更新を行うことを特徴とする請求項２又は請求項３に記載の流通管理システム。
【請求項５】
前記購買者、前記配送業者及び前記生産者が、インターネット経由で、前記流通管理サーバへのアクセスを行い、前記購買者が商品購買時に入力した当該商品の発注情報、前記商品の製造情報及び前記商品の前記流通経路情報を確認できるようにしたことを特徴とする請求項１から請求項４の何れか１項に記載の流通管理システム。
【請求項６】
前記購買者が、前記流通管理サーバへのアクセスを行い、前記流通経路データベースにある商品の納品情報及び流通経路情報の参照をすることを特徴とする請求項２から請求項５の何れか１項に記載の流通管理システム。
【請求項７】
前記購買者が、前記流通管理サーバへのアクセスを行い、前記流通経路データベースにある流通経路の選択及び変更を行うことを特徴とする請求項１から請求項６の何れか１項に記載の流通管理システム。
【請求項８】
前記流通管理機能部において、前記購買者及び前記購買者が発注した商品に対して、パスワードを発行することを特徴とする請求項１から請求項７の何れか１項に記載の流通管理システム。
【請求項９】
前記購買者、配送業者及び生産者がインターネット経由で、前記流通管理機能部へのアクセスを行った場合において、前記流通管理機能部において発行された前記購買者、配送業者及び生産者のそれぞれのパスワードを入力した後、前記購買者が商品購買時に入力した商品の発注情報、前記商品の製造情報及び前記商品の流通情報を確認できるようにしたことを特徴とする請求項１から請求項８の何れか１項に記載の流通管理システム。
【請求項１０】
購買者、複数の配送業者及び生産者間の商品取引を行うために、インターネットを介して購買者、配送業者及び生産者の端末に接続された前記商品の流通を管理する流通管理サーバで実行される流通制御プログラムであって、
前記商品の前記購買者、複数の配送業者及び生産者間の流通経路情報、納品情報を格納し、
前記購買者の端末から、前記流通経路情報及び納品情報の確認、変更を行う機能を実行することを特徴とする流通制御プログラム。
【請求項１１】
前記流通管理サーバへ前記購買者の端末からアクセスがあった場合に、購買者に商品情報及び商品の製造情報、流通情報を提供し、購買者からの注文を受付ける機能と、前記発注情報を購買者データベースに格納する機能を実行することを特徴とする請求項１０に記載の流通制御プログラム。
【請求項１２】
前記生産者からのアクセスにより、流通経路データベースに格納される前記商品の製造情報を可能にする機能を実行することを特徴とする請求項１０又は請求項１１に記載の流通制御プログラム。
【請求項１３】
前記配送業者からのアクセスにより、前記流通経路情報の更新を可能とすることを特徴とする請求項１０から請求項１２の何れか１項に記載の流通制御プログラム。
【請求項１４】
前記購買者、前記配送業者及び前記生産者からのアクセスより、前記購買者が商品購買時に入力した商品の発注情報、前記商品の製造情報及び前記商品の流通情報を確認できる機能を実行することを特徴とする請求項１０から請求項１３の何れか１項に記載の流通制御プログラム。
【請求項１５】
前記購買者からのアクセスにより、前記購買者が商品の配達情報及び流通経路情報を確認する機能を実行することを特徴とする請求項１０から請求項１４の何れか１項に記載の流通制御プログラム。
【請求項１６】
前記購買者からのアクセスにより、購買者が前記商品の配送時の流通経路の選択及び変更を行う機能を実行することを特徴とする請求項１０から請求項１５の何れか１項に記載の流通制御プログラム。
【請求項１７】
前記購買者及び前記購買者が発注した商品に対して、パスワードを発行する機能を実行することを特徴とする請求項１０から請求項１６の何れか１項に記載の流通制御プログラム。
【請求項１８】
前記購買者、配送業者及び生産者から入力されるパスワードによる認証を確認した後、前記購買者が商品購買時に入力した商品の発注情報、前記商品の製造情報及び前記商品の流通情報を確認可能とする機能を実行することを特徴とする請求項１０から請求項１７の何れか１項に記載の流通制御プログラム。
【発明の詳細な説明】
【技術分野】
【０００１】
本発明は、流通管理システムを効率化する方法に関し、特に、購買者が購入した商品の発注情報、製造情報及び流通情報を確認でき、また流通経路及び納品場所、納品日時等の納品情報の変更のできる流通管理システム及び流通制御プログラムに関する。
【背景技術】
【０００２】
近年、インターネットを利用しての商品の取引が増加している。インターネットは国内・国外を問わず購買者と商品生産者を直接結びつけることが可能であり、直販、直配などにより商品納期の短縮が実現されている。また、流通中間業者の仲介が不要であるため、商品のコストダウンを実現することが可能となっている。
【０００３】
このように、直販あるいは直配の取引は増加しているが、購買者から流通の実体を把握することは困難であって、例えば直配とはいうものの実際には流通中間業者による販売である場合のこともあり、商品納期短縮あるいは流通コスト削減が十分には行われていなかった。さらに、国外での商品製造を行った場合に、船便や航空便による流通が行われており、生産者がこの流通経路を決定している。このため、購買者が流通コストと納期を判断して流通経路を変更したい場合であっても、生産者が決定した流通経路を購買者が変更することはできなかった。
【０００４】
このような問題を解決するための、従来の流通管理システムとしては、例えば、特開２００１−２２２５７８号公報（特許文献１）に関係するものがある。この方法によると、購買者は発注時に、予め生産者が設定した複数の流通経路から、自分に適したものを選択できるというものである。また、特許文献１の方法では、端末は流通に関わる進捗情報をインターネットを介して、提供を受けることが可能である。
【特許文献１】特開２００１−２２２５７８号公報
【発明の開示】
【発明が解決しようとする課題】
【０００５】
上述した従来の技術は、以下に述べるような問題点があった。
【０００６】
特許文献１の方法の場合、流通経路は購買者が発注時に選択することができる。しかしながら、発注後は購買者が流通コスト、納期等を考慮して流通経路を変更したい場合であっても、発注時に購買者が選択した流通経路を、発注後に変更することはできなかった。
【０００７】
また、特許文献１の方法の場合、購買者は流通上の進捗情報をインターネットを介して提供を受けることが可能である。しかしながら、一般の商品は製造された後、流通業者によって配送される。特許文献１の方法の場合、購買者は商品が製造されている状態なのか、あるいは配送されている状態なのか、を知ることはできなかった。このため、商品がたとえ製造状態にあっても、商品の納入場所あるいは納入時間の変更はできず、購買者が希望しない時間に配送を受けることもあった。
【０００８】
本発明の第１の目的は、上記従来技術の欠点を解決し、購買者が商品発注後であっても、配送業者を変更することにより流通経路及びを変更可能な流通管理システム及び流通制御プログラムを提供することにある。
【０００９】
本発明の第２の目的は、購買者が、自分にとって都合の良い時間に、商品を受け取ることのできる効率の良い流通管理システム及び流通制御プログラムを提供することにある。
【課題を解決するための手段】
【００１０】
上記目的を達成するための本発明は、インターネットを介して購買者、複数の配送業者及び生産者間の商品の取引を行う商品取引システムにおける前記商品の流通を管理する流通管理システムであって、前記インターネットを介して前記購買者、複数の配送業者及び生産者の端末と接続された前記商品の流通を管理する流通管理サーバを備え、前記流通管理サーバが前記商品の前記購買者、複数の配送業者及び生産者間の流通経路情報、納品情報を格納し、前記購買者が前記端末を操作して、前記流通管理サーバにアクセスして、前記流通経路情報及び納品情報の確認、変更を可能としたことを特徴とする。
【００１１】
請求項２の流通管理システムは、前記購買者が、前記流通管理サーバへアクセスすると共に、前記流通管理サーバに備えられる前記商品に関する情報を格納する商品データベース及び前記流通経路情報を格納する流通経路データベースの情報を参照して、商品の発注を行い、前記発注情報が前記流通管理サーバの購買者データベースに格納されることを特徴とする。
【００１２】
請求項３の流通管理システムは、前記生産者が、前記流通管理サーバへのアクセスを行い、前記流通経路データベースに格納される前記商品の製造情報を更新可能としたことを特徴とする。
【００１３】
請求項４の流通管理システムは、前記配送業者が、前記流通管理サーバへのアクセスを行い、前記流通経路データベースにある流通経路情報の更新を行うことを特徴とする。
【００１４】
請求項５の流通管理システムは、前記購買者、前記配送業者及び前記生産者が、インターネット経由で、前記流通管理サーバへのアクセスを行い、前記購買者が商品購買時に入力した当該商品の発注情報、前記商品の製造情報及び前記商品の前記流通経路情報を確認できるようにしたことを特徴とする。
【００１５】
請求項６の流通管理システムは、前記購買者が、前記流通管理サーバへのアクセスを行い、前記流通経路データベースにある商品の納品情報及び流通経路情報の参照をすることを特徴とする。
【００１６】
請求項７の流通管理システムは、前記購買者が、前記流通管理サーバへのアクセスを行い、前記流通経路データベースにある流通経路の選択及び変更を行うことを特徴とする。
【００１７】
請求項８の流通管理システムは、前記流通管理機能部において、前記購買者及び前記購買者が発注した商品に対して、パスワードを発行することを特徴とする。
【００１８】
請求項９の流通管理システムは、前記購買者、配送業者及び生産者がインターネット経由で、前記流通管理機能部へのアクセスを行った場合において、前記流通管理機能部において発行された前記購買者、配送業者及び生産者のそれぞれのパスワードを入力した後、前記購買者が商品購買時に入力した商品の発注情報、前記商品の製造情報及び前記商品の流通情報を確認できるようにしたことを特徴とする。
【００１９】
請求項１０の本発明は、購買者、複数の配送業者及び生産者間の商品取引を行うために、インターネットを介して購買者、配送業者及び生産者の端末に接続された前記商品の流通を管理する流通管理サーバで実行される流通制御プログラムであって、前記商品の前記購買者、複数の配送業者及び生産者間の流通経路情報、納品情報を格納し、前記購買者の端末から、前記流通経路情報及び納品情報の確認、変更を行う機能を実行することを特徴とする。
【００２０】
請求項１１の本発明の流通制御プログラムは、前記流通管理サーバへ前記購買者の端末からアクセスがあった場合に、購買者に商品情報及び商品の製造情報、流通情報を提供し、購買者からの注文を受付ける機能と、前記発注情報を購買者データベースに格納する機能を実行することを特徴とする。
【００２１】
請求項１２の本発明の流通制御プログラムは、前記生産者からのアクセスにより、流通経路データベースに格納される前記商品の製造情報を可能にする機能を実行することを特徴とする。
【００２２】
請求項１３の本発明の流通制御プログラムは、前記配送業者からのアクセスにより、前記流通経路情報の更新を可能とすることを特徴とする。
【００２３】
請求項１４の本発明の流通制御プログラムは、前記購買者、前記配送業者及び前記生産者からのアクセスより、前記購買者が商品購買時に入力した商品の発注情報、前記商品の製造情報及び前記商品の流通情報を確認できる機能を実行することを特徴とする。
【００２４】
請求項１５の本発明の流通制御プログラムは、前記購買者からのアクセスにより、前記購買者が商品の配達情報及び流通経路情報を確認する機能を実行することを特徴とする。
【００２５】
請求項１６の本発明の流通制御プログラムは、前記購買者からのアクセスにより、購買者が前記商品の配送時の流通経路の選択及び変更を行う機能を実行することを特徴とする。
【００２６】
請求項１７の本発明の流通制御プログラムは、前記購買者及び前記購買者が発注した商品に対して、パスワードを発行する機能を実行することを特徴とする。
【００２７】
請求項１８の本発明の流通制御プログラムは、前記購買者、配送業者及び生産者から入力されるパスワードによる認証を確認した後、前記購買者が商品購買時に入力した商品の発注情報、前記商品の製造情報及び前記商品の流通情報を確認可能とする機能を実行することを特徴とする。
【発明の効果】
【００２８】
本発明の流通管理システム及び流通制御プログラムによれば、以下の効果が達成される。
【００２９】
第１に、購買者、複数の配送業者及び生産者をインターネットで接続し、購買者の情報を購買者データベースに格納し、また複数の配送業者及び生産者の情報を流通経路データベースに格納し、購買者、複数の配送業者及び生産者は流通管理サーバを介して情報の入力及び参照ができるために、購買者は商品発注後であっても、流通経路及び配送先、配送時間を変更することができる。これにより、購買者は予定に変更が生じても、商品を確実に受け取ることが可能となる。
【００３０】
第２に、購買者は自分にとって都合の良い時間に確実に商品を受け取ることが可能となるため、購買者は自分が不在の時に配達されることはなくなり、再配送の連絡、待機等の無駄から開放される。また、配送業者も再配送による経費の無駄を節約でき、配送の効率が高まるという効果も生じる。
【実施例】
【００３１】
以下、本発明の好適な実施例について図面を参照して詳細に説明する。
【００３２】
図１は、本発明の第１の実施例による流通管理システムの構成を示すブロック図である。図１を参照すると、本実施例の流通管理システムは、インターネット１００を介して、流通管理サーバ１０と、購買者端末２０と、配送業者Ａ端末３０と、配送業者Ｂ端末３１と、生産者４０が接続された構成となっている。
【００３３】
オーダー処理機能部１１は、商品データベース１５と、購買者データベース１６を備えている。流通管理機能部１２は、流通経路データベース１７を備える。
【００３４】
オーダー処理機能部１１では、購買者は購買者端末２０からインターネット１００を経由して、商品の購買予約を行うことができる。商品データベース１５には、購買者が商品を購入するための商品名、商品コード、商品価格などの情報を格納している。購買者データベース１６には、購買者が商品購買時に入力した商品情報及び購買者情報を格納している。
【００３５】
流通管理機能部１２の流通経路データベース１７には、購買者がインターネット１００を介して購入する商品の流通経路を選択するための商品流通経路情報、配送業者が確定したことを示す配送業者確定情報、商品配送にかかる納品時間、納品先などの情報が格納される。
【００３６】
流通管理機能部１２は、購買者が発注した商品情報を不正に参照・変更されないようにするために購買者と発注した商品に対応するパスワードを発行する。
【００３７】
さらに、流通管理機能部１２は、商品の発注の状態、製造の状態及び流通の状態を管理している。当該発注の状態、製造の状態及び流通の状態は、インターネット１００を経由して、パスワードを入力することにより、購買者端末２０、配送業者Ａ端末３０、配送業者Ｂ端末３１及び生産者端末４０から確認することができる。
【００３８】
また、生産者及び配送業者、配送業者Ａ、配送業者Ｂは、購買者端末２０、配送業者Ａ端末３０、配送業者Ｂ端末３１及び生産者端末４０からインターネット１００を介して、流通管理機能部１２にアクセスすることにより流通経路データベース１７にある製造の状態及び流通の状態を変更することができる。
【００３９】
購買者はインターネット１００を介して流通管理機能部１２にアクセスすることで、流通経路データベース１７にある商品の納品先、納品日時等の納品情報及び流通経路情報の確認、に加えて流通経路の選択及び変更を行うことができる。
【００４０】
次に、本実施例による動作を図を用いて詳細に説明する。図３はオーダー処理機能部１１の動作のフローチャートである。
【００４１】
購買者は、購買者端末２０からインターネット１００を経由して流通管理サーバ１０のオーダー処理機能部１１にアクセスし、商品データベース１５にある商品情報と流通経路データベース１７にある流通コスト、流通経路情報、納品情報を同時に参照する（ステップ３０１）。
【００４２】
次に、購買者は商品の発注を行い、流通コストと納期を判断して流通経路を選択する（ステップ３０２）。
【００４３】
購買者が発注を行うと、選択した配送業者名及び商品の納品情報が流通経路データベース１７に格納される（ステップ３０３）。
【００４４】
以上により、商品の発注、配送業者選択と登録が終わる。
【００４５】
次に、図２を参照して説明を行う。図２は、本実施例による流通管理システム全体の動作を説明するためのフローチャートである。また、また、図４は流通管理機能部１２のフローチャートである。なお、必要に応じて図４を参照して説明を行う。
【００４６】
図２を参照すると、最初に購買者は購買者端末２０から商品の発注、配送業者選択及び登録を行う。商品の発注は、前述した図３の説明で述べたと同様である（ステップ２０１）。
【００４７】
購買者端末２０から発注を行った商品情報は、流通管理サーバ１０の流通管理機能部１２から、インターネット１００を経由して、生産者端末４０及び配送業者Ａ端末３０、購買者端末２０に対して通知される。同時に、流通管理機能部１２は、受注情報及び発注商品に対応するパスワードを、生産者端末４０及び配送業者Ａ端末３０、購買者端末２０に対して通知する（ステップ２０２）。
【００４８】
商品の受注を確認した生産者は、パスワードによる認証を使用してインターネット１００を経由して流通管理サーバ１０にアクセスし、受注を行ったことの情報と、商品の生産状況の情報を流通経路データベース１７に格納する。生産者は、商品の生産状況にあわせて,随時流通経路データベース１７を更新する（ステップ２０３）。
【００４９】
購買者は、流通経路データベース１７に格納されている配送業者Ａと配送業者Ｂの流通コスト、商品納期を比較し、配送業者Ａを流通経路として選択したとする。
【００５０】
このとき、配送業者Ｂにはパスワードが通知されていないため、パスワードによる認証を使用したアクセスが行えず、流通管理サーバ１０に格納された購買者が購入する商品情報の参照・更新は行えない。
【００５１】
以上のステップ２０１からステップ２０３の説明は、図４の流通管理機能部１２のフローチャートではステップ４０１、４０２に対応する。
【００５２】
ステップ２０３で生産者が格納した商品の生産状況情報は、インターネット１００を介して、配送業者端末３０及び購買者端末２０からパスワードによる認証を使用したアクセスにより確認することが可能である（ステップ２０４）。
【００５３】
生産者が流通経路データベース１７に格納した情報を参照した購買者は、流通経路データベース１７に格納されている流通経路情報及び購買者データベース１６に格納されている納品先、納品希望日時等の納品情報を変更することが可能である（ステップ２０５）。
【００５４】
購買者が、流通経路データベース１７に格納されている流通経路及び購買者データベース１６に格納されている納品情報の変更を行わなかった場合は、ステップ２０６と、ステップ２０７は実施されない。ステップ２０８以降については、次に述べる流通経路及び納品先、納品希望日時等の納品情報に変更のある場合と同じである。
【００５５】
以下に変更のある場合について説明する。
【００５６】
購買者が、購買者端末２０から、流通経路データベース１７に格納されている流通経路及び購買者データベース１６に格納されている納品情報の変更を行った場合には、流通管理機能部１２から配送業者Ａ端末３０及び配送業者Ｂ端末３１、生産者端末４０に対して流通経路が変更されたことが通知される。本実施例では、流通経路の変更による配送業者変更により、配送業者は配送業者Ａから配送業者Ｂに変更される（ステップ２０６）。なお、流通経路の変更により配送業者が変更されない場合もあるが、本実施例では、配送業者が変更される場合について説明する。
【００５７】
流通管理機能部１２は変更された流通経路情報にアクセスするための新たなパスワードを購買者端末２０、配送業者Ｂ端末３１、生産者端末４０に通知する。新たなパスワードが発行されると、配送業者Ａは古いパスワードは知らされているが、新たなパスワードを知らされていないため、流通管理サーバ１０がもつ購買者が購入する商品に対する情報の参照・更新は行えない（ステップ２０７）。
【００５８】
次に、生産者の生産状況の変化した場合及び生産完了後のフローについて、図４を参照して説明を行う。
【００５９】
生産者は生産状況が変化した場合には（ステップ４０３）、生産者端末４０から生産状況の情報の格納を行う（ステップ４０６）。生産者は、商品の生産状況にあわせて、随時流通経路データベース１７を更新する。
【００６０】
生産者での当該商品の生産が完了すると（ステップ４０７）、生産者は生産者端末４０からインターネット１００を介して流通経路データベース１７を参照し、配送業者Ｂが商品の配送を行うことを確認する。
【００６１】
生産が完了すると、購買者から配送業者を変更できなくするために、生産者は、インターネット１００を介して流通データベース１７に配送業者確定情報を入力する（ステップ４０８）。
以下、再び図２を参照して配送業者による納品について説明を行う。
【００６２】
生産者から配送業者に商品が渡されると、配送業者Ｂはインターネット１００を介して流通管理機能部１２にアクセスし、購買者データベース１６に格納されている納品先、納品希望日時等の納品情報を確認する。
【００６３】
生産者から配送業者に商品が渡された後は、流通データベース１７に配送業者確定情報が入力されているため、購買者からは流通経路を変更することはできないが、購買者データベース１６に格納されている納品先、納品希望日時等の納品情報は、購買者２０からインターネット１００を経由して更新を行うことが可能である。配送業者Ｂは、購買者データベース１６に格納されている納品情報を確認して配送を行う（ステップ２０９）。
【００６４】
本発明の流通管理システムにおける流通管理サーバの機能は、その機能をハードウェア的に実現することは勿論として、上記した機能を実行する流通制御プログラム（アプリケーション）５０をコンピュータ処理装置であるオーダー処理機能部１１、流通管理機能部１２でそれぞれ実行することにより、ソフトウェア的に実現することができる。この通信制御プログラム５０は、磁気ディスク、半導体メモリその他の記録媒体に格納され、その記録媒体からコンピュータ処理装置として流通管理サーバ１０にロードされ、コンピュータ処理装置の動作を制御することにより、上述した各機能を実現する。
【００６５】
以上説明した実施例によれば、購買者端末２０、複数の配送業者端末３０、３１及び生産者端末４０をインターネット経由で接続し、購買者の情報を購買者データベース１６に格納し、また複数の配送業者及び生産者の情報を流通経路データベース１７に格納し、購買者、複数の配送業者及び生産者は流通管理サーバ１０を介して情報の入力及び参照ができるために、購買者は商品発注後であっても、納品先、納品希望日時等の納品情報を変更することができる。これにより、購買者は自分にとって都合の良い時間に、商品を確実に受け取ることが可能となる。
【００６６】
以上好ましい実施例をあげて本発明を説明したが、本発明は必ずしも、上記実施例に限定されるものでなく、その技術的思想の範囲内において様々に変形して実施することができる。
【図面の簡単な説明】
【００６７】
【図１】本発明の第１の実施例による流通管理システムの構成を示す図である。
【図２】本発明の第１の実施例による流通管理システム全体の動作を説明するためのフローチャートである。
【図３】本発明の第１の実施例によるオーダー処理機能部の動作を説明するためのフローチャートである。
【図４】本発明の第１の実施例による流通管理システムの動作を説明するためのフローチャートある。
【符号の説明】
【００６８】
１０：流通管理サーバ
１１：オーダー処理機能部
１２：流通管理機能部
１５：商品データベース
１６：購買者データベース
１７：流通経路データベース
２０：購買者端末
３０：配送業者Ａ端末
３１：配送業者Ｂ端末
４０：生産者端末
５０：流通制御プログラム
１００：インターネット
【図１】
2005138947.tif 000003
【図２】
2005138947.tif 000004
【図３】
2005138947.tif 000005
【図４】
2005138947.tif 000006